(57)【要約】【課題】来店者に飽きられないように、商品を宣伝する音声情報を再生することを可能とし、もって宣伝対象の商品に対する集客力や購買意欲を高めることを可能とする音声情報生成装置、音声情報再生装置、サーバ装置及び音声情報再生システム等を提供する。【解決手段】宣伝音声情報の生成に用いられる音声情報である部分音声情報を複数取得する取得手段と、部分音声情報の音声が示す内容の種類毎に当該部分音声情報を少なくとも１つずつ選択する選択手段と、選択手段によって選択された複数種類の部分音声情報を接続して宣伝音声情報を生成する生成手段と、を備え、選択手段は、少なくとも１種類については、前回選択した部分音声情報とは内容が異なる部分音声情報を選択する。【選択図】図２
2010181704.tif 000002
【特許請求の範囲】
【請求項１】
商品の宣伝の音声情報である宣伝音声情報を再生する音声情報再生装置によって再生される当該宣伝音声情報を生成する音声情報生成装置であって、
前記宣伝音声情報の生成に用いられる音声情報である部分音声情報を複数取得する取得手段と、
前記部分音声情報の音声が示す内容の種類毎に当該部分音声情報を少なくとも１つずつ選択する選択手段と、
前記選択手段によって選択された複数種類の前記部分音声情報を接続して前記宣伝音声情報を生成する生成手段と、
を備え、
前記選択手段は、少なくとも１種類については、前回選択した前記部分音声情報とは内容が異なる前記部分音声情報を選択することを特徴とする音声情報生成装置。
【請求項２】
請求項１に記載の音声情報生成装置において、
前記音声情報再生装置によって前記宣伝音声情報を再生すべき時機が到来する度に、前記選択手段は、前記部分音声情報を複数種類選択し、前記生成手段は、当該選択された複数種類の前記部分音声情報を接続して前記宣伝音声情報を生成し、
生成された最新の前記宣伝音声情報を前記音声情報再生装置に再生させることを特徴とする音声情報生成装置。
【請求項３】
請求項１または請求項２に記載の音声情報生成装置において、
少なくとも１種類の前記部分音声情報のうち少なくとも１つの前記部分音声情報は、予め定められた時間帯に対応付けられており、
現在時刻を取得する時刻取得手段を更に備え、
前記選択手段は、前記取得された現在時刻が前記予め定められた時間帯の範囲内にある場合には、当該時間帯に対応する前記部分音声情報を選択することを特徴とする音声情報生成装置。
【請求項４】
請求項３に記載の音声情報生成装置において、
前記選択手段は、商品名及び商品のキャッチフレーズのうち少なくとも商品名の音声を含む前記部分音声情報である商品名・キャッチフレーズ音声情報と、商品の説明の前記部分音声情報である説明音声情報と、商品の価格を示す前記部分音声情報である価格音声情報と、を少なくとも１つずつ選択し、
前記現在時刻に基づいて、前記商品名・キャッチフレーズ音声情報、前記説明音声情報及び前記価格音声情報の接続順を決定する第１接続順決定手段を更に備え、
前記生成手段は、前記選択手段によって選択された前記商品名・キャッチフレーズ音声情報、前記説明音声情報及び前記価格音声情報を、前記第１接続順決定手段により決定された接続順で接続することを特徴とする音声情報生成装置。
【請求項５】
請求項３または請求項４に記載の音声情報生成装置において、
前記選択手段は、商品名及び商品のキャッチフレーズのうち少なくとも商品名の音声を含む前記部分音声情報である商品名・キャッチフレーズ音声情報と、商品の説明の前記部分音声情報である説明音声情報と、商品の価格を示す前記部分音声情報である価格音声情報と、を少なくとも１つずつ選択し、
前記音声情報再生装置が設置された場所にいる人の混雑度を取得する混雑度取得手段と、
前記混雑度に基づいて、前記商品名・キャッチフレーズ音声情報、前記説明音声情報及び前記価格音声情報の接続順を決定する第２接続順決定手段と、
を更に備え、
前記生成手段は、前記選択手段によって選択された前記商品名・キャッチフレーズ音声情報、前記説明音声情報及び前記価格音声情報を、前記第２接続順決定手段により決定された接続順で接続することを特徴とする音声情報生成装置。
【請求項６】
請求項１乃至５の何れか１項に記載の音声情報生成装置において、
前記生成手段は、前記選択手段によって選択された複数種類の前記部分音声情報のうち、商品名の前記部分音声情報である商品名音声情報と、キャッチフレーズの前記部分音声情報であるキャッチフレーズ音声情報と、を、宣伝対象の商品に対応して予め定められた順序で連続して接続することを特徴とする音声情報生成装置。
【請求項７】
請求項１乃至６の何れか１項に記載の音声情報生成装置において、
前記選択手段は、前記宣伝音声情報の生成に用いるべき前記部分音声情報が種類毎に記述されたリスト情報に基づいて、種類毎に前記部分音声情報を選択し、
前記リスト情報には、少なくとも１種類について前記部分音声情報の選択順が記述されており、
前記選択手段は、前記リスト情報に選択順が記述されている種類については、当該選択順で前記部分音声情報を選択することを特徴とする音声情報再生装置。
【請求項８】
請求項１乃至７の何れか１項に記載の音声情報生成装置と、
生成された前記宣伝音声情報を再生する再生手段と、
を備えることを特徴とする音声情報再生装置。
【請求項９】
請求項８に記載の音声情報再生装置において、
本音声情報再生装置が設置された場所に人が存在するか否かを検知する検知手段を更に備え、
前記再生手段は、人が存在することが検知された場合にのみ前記宣伝音声情報を再生することを特徴とする音声情報再生装置。
【請求項１０】
請求項９に記載の音声情報再生装置において、
前記検知手段により人が存在しないことが連続して検知された累積時間を計る第１計時手段と、
前記再生手段により最後に前記宣伝音声情報が再生されたときからの経過時間を計る第２計時手段と、
を更に備え、
前記再生手段は、人が存在しないことが検知された場合において、前記累積時間が予め定められた第１の時間を超えた場合にはランダムなタイミングで前記宣伝音声情報を再生し、前記経過時間が予め定められた第２の時間を超えた場合にはその時点で前記宣伝音声情報を再生することを特徴とする音声情報再生装置。
【請求項１１】
請求項８乃至１０の何れか１項に記載の音声情報再生装置において、
前記取得手段は、宣伝すべき商品に対応する複数の前記部分音声情報を、当該複数の部分音声情報を保持するサーバ装置から通信手段を介して受信することを特徴とする音声情報再生装置。
【請求項１２】
請求項８乃至１１の何れか１項に記載の音声情報再生装置において、
前記選択手段は、前記宣伝音声情報の生成に用いるべき前記部分音声情報が種類毎に記述されたリスト情報に基づいて、種類毎に前記部分音声情報を選択し、
前記取得手段は、本音声情報再生装置に割り当てられた識別情報を前記サーバ装置に送信することにより、当該識別情報に対応して予め定められた商品の前記リスト情報を当該サーバ装置から受信し、当該リスト情報に記述された前記部分音声情報を前記サーバ装置から取得することを特徴とする音声情報再生装置。
【請求項１３】
請求項１乃至７の何れか１項に記載の音声情報生成装置と、
生成された前記宣伝音声情報を、通信手段を介して前記音声情報再生装置に送信する送信手段と、
を備え、
前記取得手段は、前記部分音声情報を記憶する記憶手段から当該部分音声情報を複数取得することを特徴とするサーバ装置。
【請求項１４】
請求項１３に記載のサーバ装置において、
前記音声情報再生装置から当該音声情報再生装置に割り当てられた識別情報を受信する識別情報受信手段を更に備え、
前記記憶手段は、前記音声情報再生装置に対する商品の割り当てを示す割り当て情報を記憶し、
前記選択手段は、前記受信された識別情報が示す前記音声情報再生装置に割り当てられた商品に対応する複数の前記部分音声情報から今回の前記宣伝音声情報の生成に用いられる前記部分音声情報を選択することを特徴とするサーバ装置。
【請求項１５】
商品の宣伝の音声情報である宣伝音声情報を再生する音声情報再生装置と、当該音声情報再生装置が通信手段を介して接続可能なサーバ装置と、を備える音声情報再生システムであって、
前記サーバ装置は、
前記宣伝音声情報の生成に用いられる音声情報である部分音声情報を複数記憶する記憶手段と、
前記記憶手段に記憶されている複数の前記部分音声情報を前記音声情報再生装置に送信する部分音声情報送信手段と、
を備え、
前記音声情報再生装置は、
前記サーバ装置から送信された前記複数の部分音声情報を受信する部分音声情報受信手段と、
前記部分音声情報の音声が示す内容の種類毎に当該部分音声情報を少なくとも１つずつ選択する選択手段と、
前記選択手段によって選択された複数種類の前記部分音声情報を接続して前記宣伝音声情報を生成する生成手段と、
前記生成された前記宣伝音声情報を再生する再生手段と、
を備え、
前記選択手段は、少なくとも１種類については、前回選択した前記部分音声情報とは内容が異なる前記部分音声情報を選択することを特徴とする音声情報再生システム。
【請求項１６】
商品の宣伝の音声情報である宣伝音声情報を再生する音声情報再生装置と、当該音声情報再生装置が通信手段を介して接続可能なサーバ装置と、を備える音声情報再生システムであって、
前記サーバ装置は、
前記宣伝音声情報の生成に用いられる音声情報である部分音声情報を複数記憶する記憶手段と、
前記部分音声情報の音声が示す内容の種類毎に当該部分音声情報を少なくとも１つずつ選択する選択手段と、
前記選択手段によって選択された複数種類の前記部分音声情報を接続して前記宣伝音声情報を生成する生成手段と、
前記生成された宣伝音声情報を前記音声情報再生装置に送信する送信手段と、
を備え、
前記音声情報再生装置は、
前記サーバ装置から送信された前記宣伝音声情報を受信する宣伝音声情報受信手段と、
前記受信された前記宣伝音声情報を再生する再生手段と、
を備え、
前記選択手段は、少なくとも１種類については、前回選択した前記部分音声情報とは内容が異なる前記部分音声情報を選択することを特徴とする音声情報再生システム。
【請求項１７】
商品の宣伝の音声情報である宣伝音声情報を再生する音声情報再生装置によって再生される当該宣伝音声情報を生成する音声情報生成方法であって、
前記宣伝音声情報の生成に用いられる音声情報である部分音声情報を複数取得する取得工程と、
前記部分音声情報の音声が示す内容の種類毎に当該部分音声情報を少なくとも１つずつ選択する選択工程と、
前記選択工程において選択された複数種類の前記部分音声情報を接続して前記宣伝音声情報を生成する生成手段と、
を含み、
前記選択工程において、少なくとも１種類については、前回選択した前記部分音声情報とは内容が異なる前記部分音声情報を選択することを特徴とする音声情報生成方法。
【請求項１８】
商品の宣伝の音声情報である宣伝音声情報を再生する音声情報再生装置によって再生される当該宣伝音声情報を生成する音声情報生成装置に含まれるコンピュータを、
前記宣伝音声情報の生成に用いられる音声情報である部分音声情報を複数取得する取得手段、
前記部分音声情報の音声が示す内容の種類毎に当該部分音声情報を少なくとも１つずつ選択する選択手段、
前記選択手段によって選択された複数種類の前記部分音声情報を接続して前記宣伝音声情報を生成する生成手段、
として機能させ、
前記選択手段としての前記コンピュータを、少なくとも１種類については、前回選択した前記部分音声情報とは内容が異なる前記部分音声情報を選択するように機能させることを特徴とする音声情報生成処理プログラム。
【発明の詳細な説明】
【技術分野】
【０００１】
本発明は、来店者に対して商品を宣伝するためのメッセージの音声情報を再生する音声情報再生装置、当該音声情報を生成する音声情報生成装置等の技術分野に関する。
【背景技術】
【０００２】
従来、店舗に陳列されている商品の販売促進のために、当該商品の名称、キャッチフレーズ、価格、商品の説明等、商品を宣伝するメッセージ音声を店内で再生放送する再生システムが知られている。
【０００３】
また、当該システムに関連して、特許文献１には、サーバ装置が、複数の定型メッセージデータからオペレータにより選択されたメッセージデータを組み合わせ、更に商品名、単価及び特売単価を挿入して、合成メッセージデータを生成し、特売時刻になると、合成メッセージデータを音声出力装置に送信し、音声出力装置が合成メッセージデータの内容を音声合成して出力する技術が記載されている。
【先行技術文献】
【特許文献】
【０００４】
【特許文献１】特開平１１ー３９５６７号公報
【発明の概要】
【発明が解決しようとする課題】
【０００５】
しかしながら、従来の再生システムでは、再生を開始したとき来店者の注意を惹くものの、毎回同じ内容を再生するので、来店者が飽きやすく、宣伝対象の商品への集客力に限界があった。
【０００６】
一方、特許文献１に開示された技術は、オペレータの意思によりメッセージの内容を変えることはできるものの、あくまでも事前に合成メッセージデータを生成しておくものであり、再生の度にメッセージの内容が変わるものではない。
【０００７】
本発明は、以上の問題等に鑑みてなされたものであり、その課題の一例は、来店者に飽きられないように、商品を宣伝する音声情報を再生することを可能とし、もって宣伝対象の商品に対する集客力や購買意欲を高めることを可能とする音声情報生成装置、音声情報再生装置、サーバ装置及び音声情報再生システム等を提供することにある。
【課題を解決するための手段】
【０００８】
上記課題を解決するために、請求項１に記載の発明は、商品の宣伝の音声情報である宣伝音声情報を再生する音声情報再生装置によって再生される当該宣伝音声情報を生成する音声情報生成装置であって、前記宣伝音声情報の生成に用いられる音声情報である部分音声情報を複数取得する取得手段と、前記部分音声情報の音声が示す内容の種類毎に当該部分音声情報を少なくとも１つずつ選択する選択手段と、前記選択手段によって選択された複数種類の前記部分音声情報を接続して前記宣伝音声情報を生成する生成手段と、を備え、前記選択手段は、少なくとも１種類については、前回選択した前記部分音声情報とは内容が異なる前記部分音声情報を選択することを特徴とする。
【０００９】
この発明によれば、宣伝音声情報を構成する複数種類の部分音声情報のうち、少なくとも１種類の部分音声情報は、宣伝音声情報が新たに生成される度に内容が変わるので、例えば、音声情報再生装置が適宜最新の宣伝音声情報を再生することにより、商品の宣伝が来店者に飽きられることを抑止することができる。
【００１０】
請求項２に記載の発明は、請求項１に記載の音声情報生成装置において、前記音声情報再生装置によって前記宣伝音声情報を再生すべき時機が到来する度に、前記選択手段は、前記部分音声情報を複数種類選択し、前記生成手段は、当該選択された複数種類の前記部分音声情報を接続して前記宣伝音声情報を生成し、生成された最新の前記宣伝音声情報を前記音声情報再生装置に再生させることを特徴とする。
【００１１】
この発明によれば、音声情報再生装置が宣伝音声情報を再生する度に、宣伝音声情報の内容の少なくとも一部が変わるので、来店者を飽きさせないようにすることができる。
【００１２】
請求項３に記載の発明は、請求項１または請求項２に記載の音声情報生成装置において、少なくとも１種類の前記部分音声情報のうち少なくとも１つの前記部分音声情報は、予め定められた時間帯に対応付けられており、現在時刻を取得する時刻取得手段を更に備え、前記選択手段は、前記取得された現在時刻が前記予め定められた時間帯の範囲内にある場合には、当該時間帯に対応する前記部分音声情報を選択することを特徴とする。
【００１３】
この発明によれば、時間帯に応じて適切な部分音声情報が宣伝音声情報の一部として再生されることで、集客力や購買意欲を高めることができる。
【００１４】
請求項４に記載の発明は、請求項３に記載の音声情報生成装置において、前記選択手段は、商品名及び商品のキャッチフレーズのうち少なくとも商品名の音声を含む前記部分音声情報である商品名・キャッチフレーズ音声情報と、商品の説明の前記部分音声情報である説明音声情報と、商品の価格を示す前記部分音声情報である価格音声情報と、を少なくとも１つずつ選択し、前記現在時刻に基づいて、前記商品名・キャッチフレーズ音声情報、前記説明音声情報及び前記価格音声情報の接続順を決定する第１接続順決定手段を更に備え、前記生成手段は、前記選択手段によって選択された前記商品名・キャッチフレーズ音声情報、前記説明音声情報及び前記価格音声情報を、前記第１接続順決定手段により決定された接続順で接続することを特徴とする。
【００１５】
この発明によれば、時間帯に応じて適切な順序で商品名・キャッチフレーズ音声情報、説明音声情報及び価格音声情報が再生されることで、集客力や購買意欲を高めることができる。
【００１６】
請求項５に記載の発明は、請求項３または請求項４に記載の音声情報生成装置において、前記選択手段は、商品名及び商品のキャッチフレーズのうち少なくとも商品名の音声を含む前記部分音声情報である商品名・キャッチフレーズ音声情報と、商品の説明の前記部分音声情報である説明音声情報と、商品の価格を示す前記部分音声情報である価格音声情報と、を少なくとも１つずつ選択し、前記音声情報再生装置が設置された場所にいる人の混雑度を取得する混雑度取得手段と、前記混雑度に基づいて、前記商品名・キャッチフレーズ音声情報、前記説明音声情報及び前記価格音声情報の接続順を決定する第２接続順決定手段と、を更に備え、前記生成手段は、前記選択手段によって選択された前記商品名・キャッチフレーズ音声情報、前記説明音声情報及び前記価格音声情報を、前記第２接続順決定手段により決定された接続順で接続することを特徴とする。
【００１７】
この発明によれば、混雑度に応じて適切な順序で商品名・キャッチフレーズ音声情報、説明音声情報及び価格音声情報が再生されることで、集客力や購買意欲を高めることができる。
【００１８】
請求項６に記載の発明は、請求項１乃至５の何れか１項に記載の音声情報生成装置において、前記生成手段は、前記選択手段によって選択された複数種類の前記部分音声情報のうち、商品名の前記部分音声情報である商品名音声情報と、キャッチフレーズの前記部分音声情報であるキャッチフレーズ音声情報と、を、宣伝対象の商品に対応して予め定められた順序で連続して接続することを特徴とする。
【００１９】
この発明によれば、宣伝対象の商品に関するＣＭや新聞広告等において商品名とキャッチフレーズとを並べて言ったり提示したりする際の並び順が一般的に認知されている場合には、これと同じ順序で商品名音声情報とキャッチフレーズ音声情報とを再生することで、宣伝効果を更に高めることができる。
【００２０】
請求項７に記載の発明は、請求項１乃至６の何れか１項に記載の音声情報生成装置において、前記選択手段は、前記宣伝音声情報の生成に用いるべき前記部分音声情報が種類毎に記述されたリスト情報に基づいて、種類毎に前記部分音声情報を選択し、前記リスト情報には、少なくとも１種類について前記部分音声情報の選択順が記述されており、前記選択手段は、前記リスト情報に選択順が記述されている種類については、当該選択順で前記部分音声情報を選択することを特徴とする。
【００２１】
この発明によれば、リスト情報を編集することで、宣伝音声情報の生成に用いられる部分音声情報や選択順を、編集者の望むように決めることができる。
【００２２】
請求項８に記載の発明は、請求項１乃至７の何れか１項に記載の音声情報生成装置と、生成された前記宣伝音声情報を再生する再生手段と、を備えることを特徴とする。
【００２３】
この発明によれば、宣伝音声情報を構成する複数種類の部分音声情報のうち、少なくとも１種類の部分音声情報は、宣伝音声情報が新たに生成される度に内容が変わるので、適宜最新の宣伝音声情報を再生することにより、商品の宣伝が来店者に飽きられることを抑止することができる。
【００２４】
請求項９に記載の発明は、請求項８に記載の音声情報再生装置において、本音声情報再生装置が設置された場所に人が存在するか否かを検知する検知手段を更に備え、前記再生手段は、人が存在することが検知された場合にのみ前記宣伝音声情報を再生することを特徴とする。
【００２５】
この発明によれば、音声情報再生装置が設置された場所に人が存在しない間は、宣伝音声情報は再生されないので、聞く人が存在しないにもかかわらず宣伝音声情報が再生されることによって電力が無駄に消費されることを防止することができる。
【００２６】
請求項１０に記載の発明は、請求項９に記載の音声情報再生装置において、前記検知手段により人が存在しないことが連続して検知された累積時間を計る第１計時手段と、前記再生手段により最後に前記宣伝音声情報が再生されたときからの経過時間を計る第２計時手段と、を更に備え、前記再生手段は、人が存在しないことが検知された場合において、前記累積時間が予め定められた第１の時間を超えた場合にはランダムなタイミングで前記宣伝音声情報を再生し、前記経過時間が予め定められた第２の時間を超えた場合にはその時点で前記宣伝音声情報を再生することを特徴とする。
【００２７】
この発明によれば、音声情報再生装置が設置された場所に人が存在しない場合であっても、しばらく経つと宣伝音声情報が再生されるので、当該再生により人の注意を引き、宣伝対象の商品に人を集めることができる。
【００２８】
請求項１１に記載の発明は、請求項８乃至１０の何れか１項に記載の音声情報再生装置において、前記取得手段は、宣伝すべき商品に対応する複数の前記部分音声情報を、当該複数の部分音声情報を保持するサーバ装置から通信手段を介して受信することを特徴とする。
【００２９】
請求項１２に記載の発明は、請求項８乃至１１の何れか１項に記載の音声情報再生装置において、前記選択手段は、前記宣伝音声情報の生成に用いるべき前記部分音声情報が種類毎に記述されたリスト情報に基づいて、種類毎に前記部分音声情報を選択し、前記取得手段は、本音声情報再生装置に割り当てられた識別情報を前記サーバ装置に送信することにより、当該識別情報に対応して予め定められた商品の前記リスト情報を当該サーバ装置から受信し、当該リスト情報に記述された前記部分音声情報を前記サーバ装置から取得することを特徴とする。
【００３０】
この発明によれば、サーバ装置側で、宣伝対象とする商品を決めることができる。
【００３１】
請求項１３に記載の発明は、請求項１乃至７の何れか１項に記載の音声情報生成装置と、生成された前記宣伝音声情報を、通信手段を介して前記音声情報再生装置に送信する送信手段と、を備え、前記取得手段は、前記部分音声情報を記憶する記憶手段から当該部分音声情報を複数取得することを特徴とする。
【００３２】
この発明によれば、宣伝音声情報を構成する複数種類の部分音声情報のうち、少なくとも１種類の部分音声情報は、宣伝音声情報が新たに生成される度に内容が変わるので、例えば、音声情報再生装置が適宜最新の宣伝音声情報を再生することにより、商品の宣伝が来店者に飽きられることを抑止することができる。
【００３３】
請求項１４に記載の発明は、請求項１３に記載のサーバ装置において、前記音声情報再生装置から当該音声情報再生装置に割り当てられた識別情報を受信する識別情報受信手段を更に備え、前記記憶手段は、前記音声情報再生装置に対する商品の割り当てを示す割り当て情報を記憶し、前記選択手段は、前記受信された識別情報が示す前記音声情報再生装置に割り当てられた商品に対応する複数の前記部分音声情報から今回の前記宣伝音声情報の生成に用いられる前記部分音声情報を選択することを特徴とする。
【００３４】
この発明によれば、サーバ装置側で、宣伝対象とする商品を音声情報再生装置毎に決めることができる。
【００３５】
請求項１５に記載の発明は、商品の宣伝の音声情報である宣伝音声情報を再生する音声情報再生装置と、当該音声情報再生装置が通信手段を介して接続可能なサーバ装置と、を備える音声情報再生システムであって、前記サーバ装置は、前記宣伝音声情報の生成に用いられる音声情報である部分音声情報を複数記憶する記憶手段と、前記記憶手段に記憶されている複数の前記部分音声情報を前記音声情報再生装置に送信する部分音声情報送信手段と、を備え、前記音声情報再生装置は、前記サーバ装置から送信された前記複数の部分音声情報を受信する部分音声情報受信手段と、前記部分音声情報の音声が示す内容の種類毎に当該部分音声情報を少なくとも１つずつ選択する選択手段と、前記選択手段によって選択された複数種類の前記部分音声情報を接続して前記宣伝音声情報を生成する生成手段と、前記生成された前記宣伝音声情報を再生する再生手段と、を備え、前記選択手段は、少なくとも１種類については、前回選択した前記部分音声情報とは内容が異なる前記部分音声情報を選択することを特徴とする。
【００３６】
請求項１６に記載の発明は、商品の宣伝の音声情報である宣伝音声情報を再生する音声情報再生装置と、当該音声情報再生装置が通信手段を介して接続可能なサーバ装置と、を備える音声情報再生システムであって、前記サーバ装置は、前記宣伝音声情報の生成に用いられる音声情報である部分音声情報を複数記憶する記憶手段と、前記部分音声情報の音声が示す内容の種類毎に当該部分音声情報を少なくとも１つずつ選択する選択手段と、前記選択手段によって選択された複数種類の前記部分音声情報を接続して前記宣伝音声情報を生成する生成手段と、前記生成された宣伝音声情報を前記音声情報再生装置に送信する送信手段と、を備え、前記音声情報再生装置は、前記サーバ装置から送信された前記宣伝音声情報を受信する宣伝音声情報受信手段と、前記受信された前記宣伝音声情報を再生する再生手段と、を備え、前記選択手段は、少なくとも１種類については、前回選択した前記部分音声情報とは内容が異なる前記部分音声情報を選択することを特徴とする。
【００３７】
請求項１７に記載の発明は、商品の宣伝の音声情報である宣伝音声情報を再生する音声情報再生装置によって再生される当該宣伝音声情報を生成する音声情報生成方法であって、前記宣伝音声情報の生成に用いられる音声情報である部分音声情報を複数取得する取得工程と、前記部分音声情報の音声が示す内容の種類毎に当該部分音声情報を少なくとも１つずつ選択する選択工程と、前記選択工程において選択された複数種類の前記部分音声情報を接続して前記宣伝音声情報を生成する生成手段と、を含み、前記選択工程において、少なくとも１種類については、前回選択した前記部分音声情報とは内容が異なる前記部分音声情報を選択することを特徴とする。
【００３８】
請求項１８に記載の発明は、商品の宣伝の音声情報である宣伝音声情報を再生する音声情報再生装置によって再生される当該宣伝音声情報を生成する音声情報生成装置に含まれるコンピュータを、前記宣伝音声情報の生成に用いられる音声情報である部分音声情報を複数取得する取得手段、前記部分音声情報の音声が示す内容の種類毎に当該部分音声情報を少なくとも１つずつ選択する選択手段、前記選択手段によって選択された複数種類の前記部分音声情報を接続して前記宣伝音声情報を生成する生成手段、として機能させ、前記選択手段としての前記コンピュータを、少なくとも１種類については、前回選択した前記部分音声情報とは内容が異なる前記部分音声情報を選択するように機能させることを特徴とする。
【発明の効果】
【００３９】
本発明によれば、宣伝音声情報を構成する複数種類の部分音声情報のうち、少なくとも１種類の部分音声情報は、宣伝音声情報が新たに生成される度に内容が変わるので、例えば、音声情報再生装置が適宜最新の宣伝音声情報を再生することにより、商品の宣伝が来店者に飽きられることを抑止することができる。
【図面の簡単な説明】
【００４０】
【図１】第１実施形態に係る商品広告音声配信システムＳの概要構成の一例を示す図である。
【図２】一実施形態に係るコンテンツ再生プログラムにおいて、再生コンテンツの生成に用いられるコンテンツを選択し、その接続順を決定する機能の関数（function）の構成の概念図である。
【図３】一実施形態に係る記憶部２１に構成されたデータベースに登録される内容の一例を示す図である。
【図４】一実施形態に係る商品マスタに登録される内容の一例を示す図である。
【図５】一実施形態に係る文節マスタに登録される内容の一例を示す図である。
【図６】（ａ）は、一実施形態に係るフレーズマスタに登録される内容の一例を示す図であり、（ｂ）は、購入効果文リストに設定される内容の一例を示す図である。
【図７】一実施形態に係る再生条件マスタに登録される内容の一例を示す図である。
【図８】一実施形態に係る評価関数実行順マスタに登録される内容の一例を示す図である。
【図９】第１実施形態に係る商品広告音声配信システムＳの処理例を示すフローチャートである。
【図１０】第１実施形態に係る音声再生端末１のコンテンツ選択部１５１の評価関数０における処理例を示すフローチャートである。
【図１１】第１実施形態に係る音声再生端末１のコンテンツ選択部１５１の評価関数０．５における処理例を示すフローチャートである。
【図１２】第１実施形態に係る音声再生端末１のコンテンツ選択部１５１の評価関数１における処理例を示すフローチャートである。
【図１３】第１実施形態に係る音声再生端末１のコンテンツ選択部１５１の評価関数２における処理例を示すフローチャートである。
【図１４】第１実施形態に係る音声再生端末１のコンテンツ選択部１５１の評価関数３における処理例を示すフローチャートである。
【図１５】第１実施形態に係る音声再生端末１のコンテンツ選択部１５１の評価関数４における処理例を示すフローチャートである。
【図１６】第２実施形態に係る商品広告音声配信システムＳの概要構成の一例を示す図である。
【図１７】第２実施形態に係る商品広告音声配信システムＳの処理例を示すフローチャートである。
【発明を実施するための形態】
【００４１】
以下、図面を参照して本発明の最良の実施形態について詳細に説明する。なお、以下に説明する実施の形態は、商品広告音声配信システムに対して本発明を適用した場合の実施形態である。
【００４２】
［１．第１実施形態］
［１．１  商品広告音声配信システムの構成及び機能概要］
先ず、本実施形態に係る商品広告音声配信システムＳの構成及び機能概要について、図１を用いて説明する。
【００４３】
図１は、第１実施形態に係る商品広告音声配信システムＳの概要構成の一例を示す図である。
【００４４】
図１に示すように、商品広告音声配信システムＳは、音声情報再生装置の一例としての複数の音声再生端末１と、サーバ装置の一例としてのサーバ２と、を含んで構成されている。
【００４５】
音声再生端末１とサーバ２とは、通信手段の一例としてのネットワークＮを介して、例えば、通信プロトコルにＴＣＰ／ＩＰ等を用いて相互にデータの送受信が可能になっている。なお、ネットワークＮは、例えば、インターネットであっても良いし、専用回線であっても良い。
【００４６】
こうした構成の商品広告音声配信システムＳは、メッセージ音声を所定の店舗内等で流すことにより、店舗で販売される商品を宣伝広告するシステムである。各音声再生端末１は、例えば、それぞれ別々の店舗に設置されていたり、同一店舗内において宣伝対象とする商品の近くにそれぞれ設置されている。また、サーバ２は、例えば、本部に設置されている。
【００４７】
音声再生端末１は、メッセージ音声として、宣伝音声情報の一例としての音声データ（以下、「再生コンテンツ」という）を一定時間間隔で生成し、生成した再生コンテンツを再生するようになっている。一方、サーバ２は、再生コンテンツのパーツに相当する部分音声情報の一例としての音声データ（以下、単に「コンテンツ」という）を保存しており、音声再生端末１からのリクエストに応じたコンテンツを当該音声再生端末１に配信するようになっている。
【００４８】
コンテンツは、その音声によって表される内容によって複数種類に分類されている。この種類としては、商品名、キャッチフレーズ、購入効果文、価格情報及び最終メッセージがある。商品名のコンテンツ（商品名音声情報の一例）は、商品名を音声化したデータであり、１商品に対して基本的に１つのみ存在する。キャッチフレーズのコンテンツ（キャッチフレーズ音声情報の一例）は、各商品固有の短い宣伝文句を音声化したデータであり、１商品に対して１または複数存在する。また、購入効果文のコンテンツ（説明音声情報の一例）は、商品の内容、仕様、利点、おいしさ、製造者（生産者）、製造地（生産地）等の、商品に関する説明を音声化したデータである。この商品に関する説明によって、来店者の商品購買意欲を起こさせることが期待される。また、価格情報のコンテンツ（価格音声情報の一例）は、商品の価格そのもの（例えば、「○○円」）や価格を示す情報（例えば、「安いよ」、「激安」、「いつもの半額」）等を音声化したデータである。商品の価格は、時間帯等によって変わる場合があるため、そのときに応じたコンテンツが選択される。また、最終メッセージのコンテンツは、宣伝をしめくくるためのメッセージを音声化したデータである。なお、購入効果文、価格情報及び最終メッセージの各コンテンツは、必要に応じて複数用意される。
【００４９】
再生コンテンツは、上記商品名、キャッチフレーズ、購入効果文、価格情報及び最終メッセージの各コンテンツから基本的に一つずつ選択された５つのコンテンツを接続合成することによって生成される。このとき、購入効果文及び最終メッセージのコンテンツは、原則として再生コンテンツの生成の度（再生の度）に、前回選択されたものとは異なるコンテンツが選択される。また、コンテンツの接続順、つまり、コンテンツの再生順は、時間帯や人の混雑度によって変化する。
【００５０】
なお、以下の説明においては、商品名、キャッチフレーズ、購入効果文、価格情報及び最終メッセージの各コンテンツについて、「のコンテンツ」という記載を省略する場合がある。
【００５１】
［１．２  音声再生端末の構成及び機能］
次に、音声再生端末１の構成及び機能について、図１及び図２を参照して説明する。
【００５２】
図１に示すように、音声再生端末１は、入力部１１と、出力部１２と、記憶部１３と、通信部１４と、取得手段、選択手段、第１接続順決定手段、第２接続順決定手段及び部分音声情報受信手段の一例としての制御部１５と、を含んで構成されている。
【００５３】
入力部１１は、混雑度取得手段及び検知手段の一例としての人感知センサ１１１と、時刻取得手段、第１計時手段及び第２計時手段の一例としての計時部１１２と、スイッチ１１３と、を含んで構成されている。
【００５４】
人感知センサ１１１は、音声再生端末１が設置された場所（例えば、音声再生端末１の正面における所定範囲）に人（来店者）が存在するか否かを検出するとともに、当該場所における混雑度（どれだけの人数の人が存在するかを示す度合い）を測定するようになっている。当該検出及び測定のための方法としては各種存在する。例えば、光センサや超音波等を用いても良いし、音声再生端末１の正面をカメラで撮影し、撮影画像を解析することによって行ってもよい。なお、具体的な方法は公知であるので、詳細な説明は省略する。
【００５５】
また、計時部１１２は、現在時刻を出力するようになっている。また、スイッチ１１３は、音声再生端末１の電源ＯＮ及びＯＦＦを切り替えるためのスイッチである。
【００５６】
次に、出力部１２は、再生手段の一例としての音声再生部１２１と、スピーカ１２２と、を含んで構成されている。
【００５７】
音声再生部１２１は、再生コンテンツ等の音声データを再生するようになっている。具体的に、音声再生部１２１は、音声データをデコード、Ｄ ／Ａ（Digital/Analog）変換、増幅等し、音声信号として、スピーカ１２２に出力する。また、スピーカ１２２は、音声信号に対応する音波を出力するようになっている。
【００５８】
次に、記憶部１３は、例えば、フラッシュメモリ、ハードディスクドライブ等により構成され、各種データ及びプログラム等を記憶するようになっている。具体的に、記憶部１３は、サーバ２から取得されたコンテンツ、リスト情報の一例としての再生リスト（詳細は後述する）及び各種設定値や、生成した再生コンテンツ等を記憶する。また、記憶部１３は、所定のオペレーティングシステム、コンテンツ再生プログラム等を記憶する。
【００５９】
コンテンツ再生プログラムは、必要なコンテンツ、再生リスト及び設定値をサーバ２から取得し、再生リスト及び設定値等に基づいて複数のコンテンツから再生コンテンツを生成し、再生コンテンツを再生するためのプログラムである。
【００６０】
図２は、コンテンツ再生プログラムにおいて、再生コンテンツの生成に用いられるコンテンツを選択し、その接続順を決定する機能の関数（function）の構成の概念図である。
【００６１】
図２に示すように、関数としては、評価関数０、０．５、１、２、３及び４が存在する。
【００６２】
評価関数０は、再生コンテンツを再生するか否かを決定するための関数である。再生するか否かを決定するための引数（入力パラメータ）としては、音声再生端末１が設置された場所に人が存在しているか否かという情報と、人が存在していないと判断してからの経過時間（人が存在していない時間）及び前回再生コンテンツを再生し終わってからの経過時間等がある。一方、戻り値（出力パラメータ）は、再生するか否かを示す情報である。再生コンテンツを再生すると決定された場合には、評価関数０．５、１、２、３及び４が実行され、再生コンテンツの生成及び再生が実行される。一方、再生コンテンツを再生しないと決定された場合には、評価関数０．５、１、２、３及び４が実行されず、再生コンテンツの生成及び再生も実行されない。原則としては、電力を無駄に消費することを防止するため、音声再生端末１が設置された場所に人が存在する場合、つまり、音声再生端末１の近くで音声を聞く人がいる場合に再生を行うが、当該場所に人が存在しない場合でも、来店者を呼び込むために、再生を行うこともある。
【００６３】
評価関数０．５は、評価関数１、２及び３の実行順を決定するための関数である。この関数の実行順によって、商品名及びキャッチフレーズ、購入効果文、価格情報の再生順（コンテンツの接続順）が決定付けられる。なお、最終メッセージは必ず最後に再生される。引数は、音声再生端末１が設置された場所における人の混雑度及び現在時刻等であり、戻り値は、評価関数の実行順である。
【００６４】
評価関数１は、商品名とキャッチフレーズとのどちらを先に再生するか、つまり、商品名とキャッチフレーズとの間における再生順を決定するための関数である。引数は、宣伝する商品に対して一意に割り当てられた商品ＩＤ等であり、戻り値は、再生順及び選択されたキャッチフレーズのフレーズＩＤである。なお、フレーズＩＤとは、各コンテンツ（フレーズ）に対して一意に割り当てられた識別情報である。コマーシャル等によって、商品名とキャッチフレーズとのどちらが先に言われているかが一般的に認知されている場合があるため、これに対応した順番でコンテンツを再生する必要がある。なお、キャッチフレーズが複数存在する場合には、前回の選択時（前回の再生コンテンツ生成・再生時）とは異なるキャッチフレーズが選択される。
【００６５】
評価関数２は、複数の購入効果文の中から今回の再生コンテンツの再生に用いられる購入効果文を選択する。引数は、商品ＩＤ、購入効果文の未選択フレーズＩＤリスト等であり、戻り値は、選択された購入効果文のフレーズＩＤである。未選択フレーズＩＤリストは、選択（再生）が予定されているコンテンツのうち、選択が一巡するまでに未だ選択されていないコンテンツのフレーズＩＤの一覧を示す情報である。また、基本的にフレーズＩＤの順でコンテンツが選択されていくようになっている。
【００６６】
評価関数３は、複数の価格情報の中から今回の再生コンテンツの再生に用いられる価格情報を選択する。引数は、商品ＩＤ及び現在時刻等であり、戻り値は、選択された価格情報のフレーズＩＤである。タイムサービス等が行われる時間帯は、当該時間帯に対応した価格情報が選択され、その他の時間帯では通常の販売価格に対応する価格情報が選択される。
【００６７】
評価関数４は、複数の最終メッセージの中から今回の再生コンテンツの再生に用いられる最終メッセージを選択する。引数は、商品ＩＤ、最終メッセージの未選択フレーズＩＤリスト等であり、戻り値は、選択された最終メッセージのフレーズＩＤである。
【００６８】
次に、通信部１４は、ネットワークＮに接続して、サーバ２との通信状態を制御するようになっている。
【００６９】
次に、制御部１５は、マイクロコンピュータを含むとともに、コンテンツ選択部１５１と、コンテンツ合成部１５２と、を含んで構成されている。そして、制御部１５は、ＣＰＵ（Central Processing Unit）が、ＲＯＭ（Read Only Memory）や記憶部１３に記憶された各種プログラムを読み出し実行することにより音声再生端末１の各部を統括制御するとともに、コンテンツ再生プログラムを実行することにより、取得手段、選択手段、第１接続順決定手段、第２接続順決定手段及び部分音声情報受信手段等として機能するようになっている。
【００７０】
具体的に、コンテンツ選択部１５１は、関数０．５、１、２、３及び４を実行することにより、再生コンテンツの生成に用いられるコンテンツを選択するようになっている。
【００７１】
また、コンテンツ合成部１５２は、コンテンツ選択部１５１によって選択されたコンテンツを接続合成することによって、再生コンテンツを再生する。
【００７２】
なお、各種プログラム等は、ネットワークＮを介してサーバ２から取得されるようにしても良いし、ＣＤ（Compact Disc）−ＲＯＭ等の記録媒体に記録されて図示せぬドライブ装置を介して読み込まれるようにしても良い。
【００７３】
［１．３  サーバの構成及び機能］
次に、サーバ２の構成及び機能について、図１及び図３乃至図８を用いて説明する。
【００７４】
図１に示すように、サーバ２は、記憶手段の一例としての記憶部２１と、通信部２２と、部分音声情報送信手段の一例としての制御部２３と、を含んで構成されている。
【００７５】
記憶部２１は、例えば、ハードディスクドライブ等により構成され、各種データ及びプログラム等を記憶するようになっている。具体的に、記憶部２３にはデータベースが構築されている。
【００７６】
図３は、記憶部２１に構成されたデータベースに登録される内容の一例を示す図である。図３に示すように、データベースには、商品マスタ、文節マスタ、フレーズマスタ、再生条件マスタ、評価関数実行順マスタ等が構築されている。
【００７７】
図４は、商品マスタに登録される内容の一例を示す図である。商品マスタは、商品名とキャッチフレーズの再生順を示す情報であり、図４に示すように、当該商品マスタには、商品に対して一意に割り当てられた商品ＩＤ、商品名及び再生順が商品毎に対応付けて、設定されている。ここで、再生順は、商品名とキャッチフレーズとのうちどちらを先に再生するか否かを示す情報である。例えば、図４に示す例では、商品１（商品ＩＤ＝１）については、商品名が先に再生され、商品２（商品ＩＤ＝２）及び商品３（商品ＩＤ＝３）については、キャッチフレーズが先に再生されるように規定されている。なお、商品名のコンテンツは、フレーズＩＤの代わりに、商品ＩＤに一意に対応付けられている。
【００７８】
図５は、文節マスタに登録される内容の一例を示す図である。文節マスタは、文節の種類に識別情報を対応付けるための情報であり、図５に示すように、当該文節マスタには、文節の種類に対して一意に割り当てられた文節ＩＤ及び文節名（文節の種類の名前）が、文節の種類毎に対応付けて設定される。図５に示す例では、文節ＩＤ＝１には、キャッチフレーズが対応付けられ、文節ＩＤ＝２には、購入効果文が対応付けられ、文節ＩＤ＝３には、価格情報が対応付けられ、文節ＩＤ＝４には、最終メッセージが対応付けられている。
【００７９】
図６（ａ）は、フレーズマスタに登録される内容の一例を示す図である。フレーズマスタは、各フレーズ（コンテンツ）に識別情報を対応付けるための情報であり、文節の種類に識別情報を対応付けるための情報であり、図６（ａ）に示すように、当該フレーズマスタには、フレーズが用いられる商品の商品ＩＤ、フレーズの種類を示す文節ＩＤ、フレーズＩＤ、フレーズ名が、フレーズ毎に対応付けて設定される。
【００８０】
図６（ａ）に示す例において、商品１に関して説明すると、キャッチフレーズとして、キャッチフレーズ＿１Ａ（１）及びキャッチフレーズ＿１Ｂ（２）が設定され、購入効果文として、購入効果＿１Ａ（３）、購入効果＿１Ｂ（４）及び購入効果＿１Ｃ（５）が設定され、価格情報として、価格＿１Ａ（６）、価格＿１Ｂ（７）及び価格＿１Ｃ（８）が設定され、最終メッセージとして、最終メッセージ＿１Ａ（９）及び最終メッセージ＿１Ｂ（１０）が設定されている。なお、カッコ内の数字は、付与されているフレーズＩＤである。同様に商品２に関して説明すると、キャッチフレーズとして、キャッチフレーズ＿２Ａ（１１）、キャッチフレーズ＿２Ｂ（１２）、キャッチフレーズ＿２Ｃ（１３）が設定され、購入効果文として、購入効果＿２Ａ（１４）及び購入効果＿１Ｂ（１５）が設定され、価格情報として、価格＿１Ａ（１６）及び価格＿２Ｂ（１７）が設定され、最終メッセージとして、最終メッセージ＿２Ａ（１８）、最終メッセージ＿２Ｂ（１９）及び最終メッセージ＿２Ｂ（２０）が設定されている。更に、商品３に関して説明すると、キャッチフレーズとして、キャッチフレーズ＿３Ａ（２１）が設定され、購入効果文として、購入効果＿３Ａ（２２）及び購入効果＿３Ｂ（２３）が設定され、価格情報として、価格＿３Ａ（２４）及び価格＿３Ｂ（２５）が設定され、最終メッセージとして、最終メッセージ＿３Ａ（２６）及び最終メッセージ＿３Ｂ（２７）が設定されている。
【００８１】
図７は、再生条件マスタに登録される内容の一例を示す図である。再生条件マスタは、特定の時間帯において、特定のフレーズを再生するための情報、つまり、特定のフレーズの再生条件を示す情報である。図７に示すように、当該再生条件マスタには、再生条件を付与するフレーズのフレーズＩＤ、再生条件（再生する時間帯の条件）に対して一意に割り当てられた再生条件ＩＤ及び再生条件が、再生条件を必要とするフレーズ毎に設定される。
【００８２】
図７に示す例では、キャッチフレーズ＿１Ｂは、時刻がｔ＿１Ａになるまで再生され（１）、価格＿１Ｂは、時刻がｔ＿１Ｂ以降に再生され（２）、価格＿１Ｃは、時刻がｔ＿１Ｃ以降に再生される（３）ように規定されている。なお、カッコ内の数字は、付与されている再生条件ＩＤである。ここで、例えば、価格＿１Ｂは、商品１の夕方以降の価格を示すフレーズであり、価格＿１Ｃは、商品１の閉店前特売価格を示すフレーズである。そして、商品１について、残る価格＿１Ａは、商品１の通常価格である。なお、再生条件（時間帯）を満たしたフレーズがある文節については、その再生条件を満たしている間は、そのフレーズが必ず再生される。また、図７に示す例では、キャッチフレーズ＿２Ｂは、時刻がｔ＿２Ａ以降に再生され（４）、キャッチフレーズ＿２Ｃは、時刻がｔ＿２Ｂになるまで再生され（５）、価格＿２Ｂは、時刻がｔ＿２Ｃからｔ＿２Ｄになるまでの間に再生される（６、７）ように規定されている。ここで、価格＿２Ｂは、例えば、商品２のタイムサービスにおける価格である。そして、価格＿２Ａは、商品２の通常価格である。更に、図７に示す例では、価格＿３Ｂは、時刻がｔ＿３Ａになるまで再生される（８）ように規定されている。ここで、価格＿３Ｂは、例えば、商品３の早朝特価である。そして、価格＿３Ａは、商品３の通常価格である。
【００８３】
図８は、評価関数実行順マスタに登録される内容の一例を示す図である。評価関数実行順マスタは、人の混雑度と時間帯とに基づいて、評価関数１、２及び３の実行順、つまり、商品名及びキャッチフレーズ、購入効果文及び最終メッセージの再生順を決定するための情報である。図８に示すように、当該評価関数実行順マスタには、商品ＩＤ、実行順に対して一意に割り当てられた実行順ＩＤ、実行順を選択するための実行順選択条件及び実行順が、実行順毎に設定される。ここで、実行順選択条件には、混雑度の条件示す混雑度条件と、時間帯の条件に相当する再生条件ＩＤとが設定される。混雑度条件と再生条件ＩＤとの何れも設定されていない実行順は、通常の実行順となる。
【００８４】
図８に示す例では、商品１に対しては４パターン、商品２に対しては２パターン（行数としては３行）の実行順が規定されている（商品３に対しては４パターン以上）。商品１については、先ず、通常の実行順として、「１→２→３」が設定されている。これは、評価関数１、評価関数２、評価関数３の順に、評価関数が実行されることを示している。更に、商品１については、夕方以降における（再生条件ＩＤ＝２）実行順として、「３→２→１」が、混雑度が混雑度＿１Ａより大きいときの実行順として、「２→１→３」が、閉店前における（再生条件ＩＤ＝３）実行順として、「３→２→１」が設定されている。なお、混雑度と時間帯の両方の条件を満たす場合には、時間帯の方が優先される。また、商品２については、通常の実行順として「２→１→３」が、タイムサービスにおける（再生条件ＩＤ＝６、７）実行順として、「３→２→１」が設定されている。また、商品３については、混雑度が混雑度＿３Ａより小さいときの実行順として、「２→１→３」が、早朝における（再生条件ＩＤ＝８）実行順として、「２→３→１」が、混雑度が混雑度＿１Ｂより大きいときの実行順として、「３→１→２」が設定されている。
【００８５】
データベースには、また、音声再生端末１それぞれに対して一意に割り当てられた端末ＩＤ（識別情報の一例）と、商品ＩＤとが、割り当て情報の一例として対応付けられて登録されている。これによって、音声再生端末１と、音声再生によって宣伝すべき商品とが対応付けられている。この対応付けは、時間帯、曜日、日付等によって変わるように設定することも可能である。
【００８６】
記憶部２１は、また、所定のオペレーティングシステム、サーバプログラム等を記憶する。
【００８７】
次に、通信部２２は、ネットワークＮに接続して、音声再生端末１との通信状態を制御するようになっている。
【００８８】
次に、制御部２３は、マイクロコンピュータを含んで構成されている。そして、制御部２３は、ＣＰＵが、ＲＯＭや記憶部２１に記憶された各種プログラムを読み出し実行することによりサーバ２の各部を統括制御するとともに、サーバプログラムを実行することにより、部分音声情報送信手段等として機能するようになっている。
【００８９】
例えば、制御部２３は、音声再生端末１から当該音声再生端末１の端末ＩＤを受信すると、当該端末ＩＤに対応した商品ＩＤを取得するとともに、当該商品ＩＤに対応する再生リストを及び設定値を取得し、これらの情報を音声再生端末１に送信するようになっている。
【００９０】
再生リストは、商品ＩＤが示す商品について再生対象とされるコンテンツ（フレーズ）のフレーズＩＤ及びフレーズ名を対応付けて示すリスト情報であり、当該再生リストには、キャッチフレーズリスト、購入効果文リスト、価格情報リスト、最終メッセージリストが含まれる。各リストは、データベースのフレーズマスタに登録された情報に基づいて作成される。具体的には、フレーズマスタにおいて、リスト毎に商品ＩＤと文節ＩＤとによって確定する範囲から、フレーズＩＤ及びフレーズ名が取得され、これらの情報によって各リストが作成される。
【００９１】
例えば、フレーズマスタに、図６（ａ）に示す内容が登録されており、商品ＩＤが１であり、文節ＩＤが２（つまり、図５における購入効果）の条件に合致するレコードを列挙すると、フレーズＩＤが３、４並びに５のレコードが列挙される。これを「購入効果文リスト」とする。この例における購入効果文リストの設定内容を図６（ｂ）に示す。
【００９２】
設定値には、例えば、宣伝対象の商品の商品ＩＤ、再生順情報、再生条件情報、評価関数実行順情報、待機時間、累積時間設定値、経過時間設定値等が含まれる。再生順情報は、商品名とキャッチフレーズの再生順を示す情報であり、当該再生順情報には、商品マスタから商品ＩＤに対応する再生順が設定される。また、再生条件情報は、特定のフレーズの再生条件を示す情報であり、当該再生条件情報には、再生条件マスタから商品ＩＤに対応する（フレーズマスタにおいて商品ＩＤに対応するフレーズのフレーズＩＤが設定されている）レコードの情報が設定される。また、評価関数実行順情報は、評価関数１、２及び３の実行及び当該実行順を決定するための条件を示す情報であり、当該評価関数実行順情報には、評価関数実行順マスタから商品ＩＤに対応するレコードの情報が設定される。また、待機時間は、再生コンテンツの再生を終えてから、次の再生コンテンツの再生までに待機する時間である。また、累積時間設定値及び経過時間設定値は、評価関数０において使用される情報である。
【００９３】
制御部２３は、また、音声再生端末１から不足コンテンツ有無メッセージを受信すると、当該音声再生端末において不足しているコンテンツがある場合には、当該コンテンツを音声再生端末１に配信するようになっている。
【００９４】
なお、各種プログラム等は、ネットワークＮを介して別のサーバ装置から取得されるようにしても良いし、ＣＤ−ＲＯＭ等の記録媒体に記録されて図示せぬドライブ装置を介して読み込まれるようにしても良い。
【００９５】
［１．４  商品広告音声配信システムの動作］
次に、商品広告音声配信システムＳの動作について、図９乃至図１５を用いて説明する。
【００９６】
［１．４．１  全体動作］
図９は、第１実施形態に係る商品広告音声配信システムＳの処理例を示すフローチャートである。図９に示す音声再生端末１側の処理は、例えば、音声再生端末１の電源がＯＮとされた場合に開始される。そして、音声再生端末１においては、コンテンツ取得処理（ステップＳ１〜Ｓ９）と、コンテンツ生成・再生処理（ステップＳ２１〜Ｓ３１）とが、同時並行で実行される。
【００９７】
先ず、コンテンツ取得処理において、音声再生端末１の制御部１５は、サーバ２に自音声再生端末の端末ＩＤを送信する（ステップＳ１）。図９に示すサーバ２側の処理は、音声再生端末１から端末ＩＤを受信した場合に開始され、サーバ２の制御部２３は、受信した端末ＩＤに対応する商品ＩＤを取得する（ステップＳ４１）。
【００９８】
次いで、制御部２３は、取得した商品ＩＤに対応する再生リスト及び設定値を記憶部２１のデータベースから取得し、当該再生リスト及び設定値を音声再生端末１に送信する（ステップＳ４２）。なお、再生リスト及び設定値の取得方法については、前記１．３項において説明している。
【００９９】
最新の再生リスト及び設定値を受信した音声再生端末１の制御部１５は（ステップＳ２）、既に保持している旧い再生リストと新たに受信した再生リストとの差分を比較し（ステップＳ３）、当該比較結果に基づいて、不足コンテンツ有無メッセージをサーバ２に送信する（ステップＳ４）。具体的に、制御部１５は、新旧のキャッチフレーズリスト、購入効果文リスト、価格情報リスト及び最終メッセージリストをそれぞれ比較し、新しい再生リストに記述されているコンテンツ（コンテンツのフレーズＩＤ）が全て旧い再生リストに記述されている場合には、不足コンテンツ無しを示す不足コンテンツ有無メッセージを送信する。一方、制御部１５は、新しい再生リストに記述されているが、旧い再生リストに記述されてはいないコンテンツが存在する場合には、当該コンテンツのフレーズＩＤを示すとともに、不足コンテンツ有りを示す不足コンテンツ有無メッセージを送信する。
【０１００】
不足コンテンツ有無メッセージを受信したサーバ２の制御部２３は（ステップＳ４３）、当該メッセージに基づいて、不足コンテンツが有るか否かを判定する（ステップＳ４４）。このとき、制御部２３は、不足コンテンツが無い場合には（ステップＳ４４：ＮＯ）、本処理を終了させる。
【０１０１】
一方、制御部２３は、不足コンテンツが有る場合には（ステップＳ４４:ＹＥＳ）、不足コンテンツ有無メッセージが示すフレーズＩＤに対応するコンテンツ（音声再生端末１側で不足しているコンテンツ）を、記憶部２１から取得し、当該コンテンツを音声再生端末１に送信して（ステップＳ４５）、本処理を終了させる。
【０１０２】
その一方で、音声再生端末１の制御部１５は、不足コンテンツが有るか否かを判定し（ステップＳ５）、不足コンテンツが無い場合には（ステップＳ５：ＮＯ）、ステップＳ７に移行し、不足コンテンツが有る場合には（ステップＳ５：ＹＥＳ）、サーバ２から送信されてきたコンテンツを受信し（ステップＳ６）、当該コンテンツを記憶部２１に記憶させた後、ステップＳ７に移行する。
【０１０３】
ステップＳ７において、制御部１５は、記憶部１３に記憶されている旧い再生リスト及び設定値を新しい再生リスト及び設定値に更新し、スイッチ１１３から電源ＯＦＦ操作が検出されたか否かを判定する（ステップＳ８）。このとき、制御部１５は、電源ＯＦＦ操作が検出されなかった場合には（ステップＳ８：ＮＯ）、一定時間待機した後（ステップＳ９）、再びステップＳ１からの処理を実行する。このように、一定時間間隔でコンテンツ取得処理が繰り返されるのは、例えば、宣伝対象とする商品が変わったり、商品は同じであっても、再生するコンテンツを差し替える場合があるからである。
【０１０４】
一方、制御部１５は、電源ＯＦＦ操作が検出された場合には（ステップＳ８:ＹＥＳ）、コンテンツ取得処理を終了させる。
【０１０５】
他方、コンテンツ取得処理において、音声再生端末１の制御部１５は、人感知センサ１１１から混雑度を取得するとともに、計時部１１２から現在時刻を取得する（ステップＳ２１）。
【０１０６】
次いで、制御部１５は、現時点で最新の再生リスト及び設定値を記憶部１３から取得して（ステップＳ２２）、コンテンツ選択部１５１は、後述する評価関数０を実行する（ステップＳ２３）。
【０１０７】
次いで、制御部１５は、評価関数０の実行結果に基づいて、再生コンテンツを再生するか否かを判定する（ステップＳ２４）。このとき、制御部１５は、再生コンテンツを再生しない場合には（ステップＳ２４：ＮＯ）、一定時間待機した後（ステップＳ３１）、再びステップＳ２１からの処理を実行する。
【０１０８】
一方、再生コンテンツを再生する場合には（ステップＳ２４：ＹＥＳ）、コンテンツ選択部１５１は、後述する評価関数０．５を実行し（ステップＳ２５）、当該評価関数０．５で決定された順番で、後述する評価関数１、２及び３を順次実行する（ステップＳ２６）。
【０１０９】
次いで、コンテンツ合成部１５２は、後述する評価関数４を実行し（ステップＳ２７）、評価関数１、２、３及び４でそれぞれ選択されたコンテンツと商品ＩＤに対応する商品名のコンテンツとを、評価関数０．５で決定された順番（商品名とキャッチフレーズについては評価関数１で決定された再生順）で接続合成して再生コンテンツを生成する（ステップＳ２８）。
【０１１０】
次いで、制御部１５は、生成した再生コンテンツを出力部１２に出力して、当該再生コンテンツを音声再生部１２１により再生させる（ステップＳ２９）。
【０１１１】
次いで、制御部１５は、スイッチ１１３から電源ＯＦＦ操作が検出されたか否かを判定する（ステップＳ３０）。このとき、制御部１５は、電源ＯＦＦ操作が検出されなかった場合には（ステップＳ３０：ＮＯ）、一定時間待機した後（ステップＳ３１）、再びステップＳ２１からの処理を実行する。
【０１１２】
一方、制御部１５は、電源ＯＦＦ操作が検出された場合には（ステップＳ３０:ＹＥＳ）、コンテンツ取得処理を終了させる。
【０１１３】
［１．４．２  評価関数０］
次に、評価関数０における動作について説明する。図１０は、第１実施形態に係る音声再生端末１のコンテンツ選択部１５１の評価関数０における処理例を示すフローチャートである。
【０１１４】
図１０に示すように、先ずコンテンツ選択部１５１は、人感知センサ１１１の検出結果に基づいて、音声再生端末１が設置された場所に人（来店者）が存在するか否かを判定する（ステップＳ５１）。このとき、コンテンツ選択部１５１は、人が存在する場合（例えば、混雑度の値が０より大きい場合）には（ステップＳ５１：ＹＥＳ）、再生コンテンツを再生すると決定し（ステップＳ５２）、不在経過時間ｔ０（累積時間の一例）に０を設定するとともに（ステップＳ５３）、前回再生終了時からの経過時間ｔｔ０（経過時間の一例）に０を設定する（ステップＳ５４）。このｔ０及びｔｔ０は、計時部１１２によって、１秒経過する毎に１カウントアップするタイマー変数である。コンテンツ選択部１５１は、この処理を終えると、評価関数０を終了させる。
【０１１５】
一方、コンテンツ選択部１５１は、人が存在しない場合（例えば、混雑度の値が０である場合）には（ステップＳ５１：ＮＯ）、ｔ０が、設定値に含まれる累積時間設定値Ｔ０より大きいか否かを判定する（ステップＳ５５）。このとき、コンテンツ選択部１５１は、ｔ０が累積時間設定値Ｔ０より大きい場合は（ステップＳ５５：ＹＥＳ）、再生コンテンツを再生するか否かを、設定値の中に含まれる予め定められた確率に基づいて、ランダムに決定して（ステップＳ５６）、評価関数０を終了させる。なお、このとき、コンテンツ選択部１５１は、再生コンテンツを再生すると決定した場合には、ｔｔ０に０を設定する。
【０１１６】
一方、コンテンツ選択部１５１は、ｔ０が累積時間設定値Ｔ０未満である場合には（ステップＳ５５：ＮＯ）、ｔｔ０が、設定値に含まれる経過時間設定値ＴＴ０より大きいか否かを判定する（ステップＳ５７）。このとき、コンテンツ選択部１５１は、ｔｔ０が経過時間設定値ＴＴ０未満である場合には（ステップＳ５７：ＮＯ）、再生コンテンツを再生しないと決定して（ステップＳ５８）、評価関数０を終了させる。
【０１１７】
一方、コンテンツ選択部１５１は、ｔｔ０が経過時間設定値ＴＴ０より大きい場合には（ステップＳ５７：ＹＥＳ）、再生コンテンツを再生すると決定し（ステップＳ５９）、ｔｔ０に０を設定して（ステップＳ６０）、評価関数０を終了させる。
【０１１８】
［１．４．３  評価関数０．５］
次に、評価関数０．５における動作について説明する。図１１は、第１実施形態に係る音声再生端末１のコンテンツ選択部１５１の評価関数０．５における処理例を示すフローチャートである。
【０１１９】
図１１に示すように、先ずコンテンツ選択部１５１は、設定値に含まれる評価関数実行順情報において、各実行順ＩＤに対応する実行順選択条件に設定されている各再生条件ＩＤを取得する（ステップＳ７１）。次いで、コンテンツ選択部１５１は、取得した再生条件ＩＤにそれぞれ対応する再生条件（時間帯の条件）を、設定値に含まれる再生条件情報から取得し、ステップＳ２１で取得された現在時刻と各再生条件の時間帯とを比較する（ステップＳ７２）。
【０１２０】
次いで、コンテンツ選択部１５１は、上記比較の結果、現在時刻が何れかの再生条件を満たすか否かを判定する（ステップＳ７３）。このとき、コンテンツ選択部１５１は、現在時刻が何れかの再生条件を満たす場合には（ステップＳ７３：ＹＥＳ）、その満たした再生条件に対応する評価関数実行順を選択する（ステップＳ７４）。つまり、コンテンツ選択部１５１は、現在時刻が満たした再生条件の再生条件ＩＤに対応する評価関数実行順を、評価関数実行順情報から取得する。そして、コンテンツ選択部１５１は、選択した評価関数実行順を戻り値としてコンテンツ合成部１５２に転送して（ステップＳ７９）、評価関数０．５の処理を終了させる。
【０１２１】
一方、コンテンツ選択部１５１は、現在時刻がどの再生条件も満たさない場合には（ステップＳ７３：ＮＯ）、ステップＳ２１で取得された混雑度と、評価関数実行順情報において各実行順ＩＤに対応する実行順選択条件に設定されている各混雑度条件と、を比較する（ステップＳ７５）。
【０１２２】
次いで、コンテンツ選択部１５１は、上記比較の結果、混雑度が何れかの混雑度条件を満たすか否かを判定する（ステップＳ７６）。このとき、コンテンツ選択部１５１は、混雑度が何れかの混雑度条件を満たす場合には（ステップＳ７６：ＹＥＳ）、その満たした混雑度条件に対応する評価関数実行順を選択し（ステップＳ７７）、選択した評価関数実行順を戻り値としてコンテンツ合成部１５２に転送して（ステップＳ７９）、評価関数０．５の処理を終了させる。
【０１２３】
一方、コンテンツ選択部１５１は、混雑度がどの混雑度条件も満たさない場合には（ステップＳ７６：ＮＯ）、通常の評価関数実行順、つまり、混雑度条件も再生条件としての再生条件ＩＤも設定されていない評価関数実行順を選択し（ステップＳ７８）、選択した評価関数実行順を戻り値としてコンテンツ合成部１５２に転送して（ステップＳ７９）、評価関数０．５の処理を終了させる。
【０１２４】
［１．４．４  評価関数１］
次に、評価関数１における動作について説明する。図１２は、第１実施形態に係る音声再生端末１のコンテンツ選択部１５１の評価関数１における処理例を示すフローチャートである。
【０１２５】
図１２に示すように、先ずコンテンツ選択部１５１は、設定値に含まれる再生順得情報、つまり、宣伝する商品の商品ＩＤに対応した、商品名とキャッチフレーズとの再生順を取得し（ステップＳ１０１）。次いで、商品ＩＤに対応したキャッチフレーズリストとキャッチフレーズの未選択フレーズＩＤリストを取得する（ステップＳ１０２）。
【０１２６】
次いで、コンテンツ選択部１５１は、現在時刻が再生条件を満たすキャッチフレーズが存在するか否かを判定する（ステップＳ１０３）。具体的に、コンテンツ選択部１５１は、再生条件情報に記述されている再生条件のうち、対応するフレーズＩＤがキャッチフレーズリストに記述されているものを取得し、取得した再生条件と現在時刻とを比較して、現在時刻が再生条件を満たすフレーズＩＤが存在する場合には、そのフレーズＩＤを取得する。このとき、コンテンツ選択部１５１は、再生条件を満たすキャッチフレーズが存在する場合には（ステップＳ１０３：ＹＥＳ）、当該キャッチフレーズのフレーズＩＤを選択して（ステップＳ１０４）、ステップＳ１１０に移行する。
【０１２７】
一方、コンテンツ選択部１５１は、再生条件を満たすキャッチフレーズが存在しない場合には（ステップＳ１０３：ＮＯ）、未選択フレーズＩＤリストを参照し（ステップＳ１０５）、フレーズＩＤは全て選択済みであるか否かを判定する（ステップＳ１０６）。具体的に、コンテンツ選択部１５１は、未選択フレーズＩＤリストが空であるか否かを判定する。このとき、コンテンツ選択部１５１は、未選択のフレーズＩＤが存在する場合には（ステップＳ１０６：ＮＯ）、ステップＳ１０８に移行する。
【０１２８】
一方、コンテンツ選択部１５１は、フレーズＩＤは全て選択済みである場合には、キャッチフレーズリストから未選択フレーズＩＤリストを作成する（ステップＳ１０７）。具体的に、コンテンツ選択部１５１は、空の未選択フレーズＩＤリストを削除する。また、コンテンツ選択部１５１は、キャッチフレーズリストに記述されている全フレーズＩＤのうち、再生条件情報に再生条件が設定されているフレーズＩＤを除いた残りのフレーズＩＤからなる未選択フレーズＩＤリストを作成する。コンテンツ選択部１５１は、この処理を終えるとステップＳ１０８に移行する。
【０１２９】
ステップＳ１０８において、コンテンツ選択部１５１は、未選択フレーズＩＤリストの中から番号の最も若いフレーズＩＤリストを選択して、選択したフレーズのフレーズＩＤを未選択フレーズＩＤリストから削除し（ステップＳ１０９）、ステップＳ１１０に移行する。
【０１３０】
コンテンツ選択部１５１は、ステップＳ１０４またはステップＳ１１０の処理を終えると、取得した再生順及び選択したフレーズＩＤを戻り値としてコンテンツ合成部１５２に転送して（ステップＳ１１０）、評価関数１の処理を終了させる。
【０１３１】
［１．４．５  評価関数２］
次に、評価関数における動作について説明する。図１３は、第１実施形態に係る音声再生端末１のコンテンツ選択部１５１の評価関数２における処理例を示すフローチャートである。
【０１３２】
図１３に示すように、先ずコンテンツ選択部１５１は、商品ＩＤに対応した購入効果文リストと購入効果文の未選択フレーズＩＤリストを取得する（ステップＳ１２１）。
【０１３３】
次いで、コンテンツ選択部１５１は、現在時刻が再生条件を満たす購入効果文が存在するか否かを判定する（ステップＳ１２２）。具体的に、コンテンツ選択部１５１は、再生条件情報に記述されている再生条件のうち、対応するフレーズＩＤが購入効果文リストに記述されているものを取得し、取得した再生条件と現在時刻とを比較して、現在時刻が再生条件を満たすフレーズＩＤが存在する場合には、そのフレーズＩＤを取得する。このとき、コンテンツ選択部１５１は、再生条件を満たす購入効果文が存在する場合には（ステップＳ１２２：ＹＥＳ）、当該購入効果文のフレーズＩＤを選択して（ステップＳ１２３）、ステップＳ１２９に移行する。
【０１３４】
一方、コンテンツ選択部１５１は、再生条件を満たす購入効果文が存在しない場合には（ステップＳ１２２：ＮＯ）、未選択フレーズＩＤリストを参照し（ステップＳ１２４）、フレーズＩＤは全て選択済みであるか否かを判定する（ステップＳ１２５）。具体的に、コンテンツ選択部１５１は、未選択フレーズＩＤリストが空であるか否かを判定する。このとき、コンテンツ選択部１５１は、未選択のフレーズＩＤが存在する場合には（ステップＳ１２５：ＮＯ）、ステップＳ１２７に移行する。
【０１３５】
一方、コンテンツ選択部１５１は、フレーズＩＤは全て選択済みである場合には、購入効果文リストから未選択フレーズＩＤリストを作成する（ステップＳ１２６）。具体的に、コンテンツ選択部１５１は、空の未選択フレーズＩＤリストを削除する。また、コンテンツ選択部１５１は、購入効果文リストに記述されている全フレーズＩＤのうち、再生条件情報に再生条件が設定されているフレーズＩＤを除いた残りのフレーズＩＤからなる未選択フレーズＩＤリストを作成する。コンテンツ選択部１５１は、この処理を終えるとステップＳ１２７に移行する。
【０１３６】
ステップＳ１２７において、コンテンツ選択部１５１は、未選択フレーズＩＤリストの中から番号の最も若いフレーズＩＤリストを選択して、選択したフレーズのフレーズＩＤを未選択フレーズＩＤリストから削除し（ステップＳ１２８）、ステップＳ１２９に移行する。
【０１３７】
コンテンツ選択部１５１は、ステップＳ１２３またはステップＳ１２８の処理を終えると、取得した再生順及び選択したフレーズＩＤを戻り値としてコンテンツ合成部１５２に転送して（ステップＳ１２９）、評価関数２の処理を終了させる。
【０１３８】
［１．４．６  評価関数３］
次に、評価関数における動作について説明する。図１４は、第１実施形態に係る音声再生端末１のコンテンツ選択部１５１の評価関数３における処理例を示すフローチャートである。
【０１３９】
図１４に示すように、先ずコンテンツ選択部１５１は、商品ＩＤに対応した価格情報リストと価格情報の未選択フレーズＩＤリストを取得する（ステップＳ１４１）。
【０１４０】
次いで、コンテンツ選択部１５１は、現在時刻が再生条件を満たす価格情報が存在するか否かを判定する（ステップＳ１４２）。具体的に、コンテンツ選択部１５１は、再生条件情報に記述されている再生条件のうち、対応するフレーズＩＤが価格情報リストに記述されているものを取得し、取得した再生条件と現在時刻とを比較して、現在時刻が再生条件を満たすフレーズＩＤが存在する場合には、そのフレーズＩＤを取得する。このとき、コンテンツ選択部１５１は、再生条件を満たす価格情報が存在する場合には（ステップＳ１４２：ＹＥＳ）、当該価格情報のフレーズＩＤを選択して（ステップＳ１４３）、ステップＳ１４９に移行する。
【０１４１】
一方、コンテンツ選択部１５１は、再生条件を満たす価格情報が存在しない場合には（ステップＳ１４２：ＮＯ）、未選択フレーズＩＤリストを参照し（ステップＳ１４４）、フレーズＩＤは全て選択済みであるか否かを判定する（ステップＳ１４５）。具体的に、コンテンツ選択部１５１は、未選択フレーズＩＤリストが空であるか否かを判定する。このとき、コンテンツ選択部１５１は、未選択のフレーズＩＤが存在する場合には（ステップＳ１４５：ＮＯ）、ステップＳ１４７に移行する。
【０１４２】
一方、コンテンツ選択部１５１は、フレーズＩＤは全て選択済みである場合には、価格情報リストから未選択フレーズＩＤリストを作成する（ステップＳ１４６）。具体的に、コンテンツ選択部１５１は、空の未選択フレーズＩＤリストを削除する。また、コンテンツ選択部１５１は、価格情報リストに記述されている全フレーズＩＤのうち、再生条件情報に再生条件が設定されているフレーズＩＤを除いた残りのフレーズＩＤからなる未選択フレーズＩＤリストを作成する。コンテンツ選択部１５１は、この処理を終えるとステップＳ１４７に移行する。
【０１４３】
ステップＳ１４７において、コンテンツ選択部１５１は、未選択フレーズＩＤリストの中から番号の最も若いフレーズＩＤリストを選択して、選択したフレーズのフレーズＩＤを未選択フレーズＩＤリストから削除し（ステップＳ１４８）、ステップＳ１４９に移行する。
【０１４４】
コンテンツ選択部１５１は、ステップＳ１４３またはステップＳ１４８の処理を終えると、取得した再生順及び選択したフレーズＩＤを戻り値としてコンテンツ合成部１５２に転送して（ステップＳ１４９）、評価関数３の処理を終了させる。
【０１４５】
［１．４．７  評価関数４］
次に、評価関数における動作について説明する。図１５は、第１実施形態に係る音声再生端末１のコンテンツ選択部１５１の評価関数４における処理例を示すフローチャートである。
【０１４６】
図１５に示すように、先ずコンテンツ選択部１５１は、商品ＩＤに対応した最終メッセージリストと最終メッセージの未選択フレーズＩＤリストを取得する（ステップＳ１６１）。
【０１４７】
次いで、コンテンツ選択部１５１は、現在時刻が再生条件を満たす最終メッセージが存在するか否かを判定する（ステップＳ１６２）。具体的に、コンテンツ選択部１５１は、再生条件情報に記述されている再生条件のうち、対応するフレーズＩＤが最終メッセージリストに記述されているものを取得し、取得した再生条件と現在時刻とを比較して、現在時刻が再生条件を満たすフレーズＩＤが存在する場合には、そのフレーズＩＤを取得する。このとき、コンテンツ選択部１５１は、再生条件を満たす最終メッセージが存在する場合には（ステップＳ１６２：ＹＥＳ）、当該最終メッセージのフレーズＩＤを選択して（ステップＳ１６３）、ステップＳ１６９に移行する。
【０１４８】
一方、コンテンツ選択部１５１は、再生条件を満たす最終メッセージが存在しない場合には（ステップＳ１６２：ＮＯ）、未選択フレーズＩＤリストを参照し（ステップＳ１６４）、フレーズＩＤは全て選択済みであるか否かを判定する（ステップＳ１６５）。具体的に、コンテンツ選択部１５１は、未選択フレーズＩＤリストが空であるか否かを判定する。このとき、コンテンツ選択部１５１は、未選択のフレーズＩＤが存在する場合には（ステップＳ１６５：ＮＯ）、ステップＳ１６７に移行する。
【０１４９】
一方、コンテンツ選択部１５１は、フレーズＩＤは全て選択済みである場合には、最終メッセージリストから未選択フレーズＩＤリストを作成する（ステップＳ１６６）。具体的に、コンテンツ選択部１５１は、空の未選択フレーズＩＤリストを削除する。また、コンテンツ選択部１５１は、最終メッセージリストに記述されている全フレーズＩＤのうち、再生条件情報に再生条件が設定されているフレーズＩＤを除いた残りのフレーズＩＤからなる未選択フレーズＩＤリストを作成する。コンテンツ選択部１５１は、この処理を終えるとステップＳ１６７に移行する。
【０１５０】
ステップＳ１６７において、コンテンツ選択部１５１は、未選択フレーズＩＤリストの中から番号の最も若いフレーズＩＤリストを選択して、選択したフレーズのフレーズＩＤを未選択フレーズＩＤリストから削除し（ステップＳ１６８）、ステップＳ１６９に移行する。
【０１５１】
コンテンツ選択部１５１は、ステップＳ１６３またはステップＳ１６８の処理を終えると、取得した再生順及び選択したフレーズＩＤを戻り値としてコンテンツ合成部１５２に転送して（ステップＳ１６９）、評価関数４の処理を終了させる。
【０１５２】
以上説明したように、本実施形態によれば、音声再生端末１の制御部１５が、サーバ２からネットワークＮを介してコンテンツを複数受信し、コンテンツ選択部１５１が、コンテンツの音声が示す内容の種類毎にコンテンツを１つずつ選択し、コンテンツ合成部１５２が、選択された複数種類のコンテンツを接続して再生コンテンツを生成し、音声生成部１２１が、生成された再生コンテンツを生成する。ここで、コンテンツ選択部１５１は、再生リストから生成された未選択フレーズＩＤリストに基づいて、少なくとも購入効果文及び最終メッセージのコンテンツをそれぞれ複数のコンテンツからフレーズＩＤ順に選択するので、前回選択時とは異なる内容のコンテンツが選択される。従って、商品の宣伝が来店者に飽きられることを抑止することができる。また、再生リストを編集することで、再生コンテンツの生成に用いられるコンテンツや選択順を、編集者の望むように決めることができる。
【０１５３】
また、一定時間（待機時間）が経過する毎に、コンテンツ選択部１５１が、コンテンツを複数種類選択し、コンテンツ合成部１５２が、選択された複数種類のコンテンツを接続して再生コンテンツを生成し、音声生成部１２１が、生成された最新の再生コンテンツを生成するので、再生コンテンツの内容の少なくとも一部が毎回変わり、これによって来店者を飽きさせないようにすることができる。
【０１５４】
また、コンテンツ選択部１５１は、再生条件情報に基づいて、計時部１１２から取得された現在時刻が再生条件を示す時間帯の範囲内にある場合には、再生条件を満たすコンテンツを選択するので、時間帯に応じて適切なコンテンツが再生コンテンツの一部として再生されることで、集客力や購買意欲を高めることができる。
【０１５５】
また、コンテンツ選択部１５１は、評価関数実行順情報及び再生条件情報と現在時刻とに基づいて、商品名及びキャッチフレーズのコンテンツと、購入効果文のコンテンツと、価格情報のコンテンツとの接続順を決定するので、時間帯に応じて適切な順序で商品名・キャッチフレーズ、購入効果文及び価格情報のコンテンツが再生されることで、集客力や購買意欲を高めることができる。
【０１５６】
また、コンテンツ選択部１５１は、評価関数実行順情報と人感知センサ１１１から取得された混雑度に基づいて、商品名及びキャッチフレーズのコンテンツと、購入効果文のコンテンツと、価格情報のコンテンツとの接続順を決定するので、混雑度に応じて適切な順序で商品名・キャッチフレーズ、購入効果文及び価格情報のコンテンツが再生されることで、集客力や購買意欲を高めることができる。
【０１５７】
また、コンテンツ選択部１５１は、再生順情報に基づいて、商品名のコンテンツとキャッチフレーズのコンテンツとの接続順を決定するので、宣伝対象の商品に関するＣＭや新聞広告等において商品名とキャッチフレーズとを並べて言ったり提示したりする際の並び順が一般的に認知されている場合には、これと同じ順序で商品名のコンテンツとキャッチフレーズのコンテンツとを再生することで、宣伝効果を更に高めることができる。
【０１５８】
また、コンテンツ選択部１５１は、原則として、人感知センサ１１１が、音声再生端末１が設置された場所に人が存在することが検知された場合に、再生コンテンツを再生すると決定するので、聞く人が周りに存在しないにもかかわらず再生コンテンツが再生されることによって電力が無駄に消費されることを防止することができる。
【０１５９】
また、コンテンツ選択部１５１は、人が存在しないことが連続して検知された累積時間である不在経過時間が累積時間設定値を超えた場合には再生コンテンツを再生するか否かを所定の確率でランダムに決定し、前回生成終了からの経過時間が経過時間設定値を超えた場合にはその時点で再生コンテンツを再生すると決定するので、音声再生端末１が設置された場所に人が存在しない場合であっても、しばらく経つと再生コンテンツが再生され、当該再生により人の注意を引き、宣伝対象の商品に人を集めることができる。
【０１６０】
また、制御部１５は、自音声再生端末１の端末ＩＤをサーバ２に送信することにより、当該端末ＩＤに対応する再生リストをサーバ２から受信し、当該再生リストに記述されたコンテンツをサーバ２から受信するので、サーバ２側で、宣伝対象とする商品を音声再生端末１毎に決めることができる。
【０１６１】
［２．第２実施形態］
次に、第２実施形態について、図１６及び図１７を用いて説明する。
【０１６２】
上記説明した第１実施形態においては、コンテンツの選択及び再生コンテンツの生成は、音声再生端末１が行っていたが、以下に説明する第２実施形態においては、サーバ２が行うようになっている。
【０１６３】
図１６は、第２実施形態に係る商品広告音声配信システムＳの概要構成の一例を示す図であり、同図において、図１と同様の要素については同様の符号を付してある。
【０１６４】
本実施形態に係る商品広告音声配信システムＳの構成が、第１実施形態に係る商品広告音声配信システムＳの構成と相違する点は、第１実施形態においては、音声再生端末１の制御部１５がコンテンツ選択部１５１とコンテンツ合成部１５２とを有していたが、本実施形態においては、サーバ２の制御部２３がコンテンツ選択部２３１とコンテンツ合成部２３２とを有している点であり、その他の点は基本的に同一である。
【０１６５】
サーバ２において、コンテンツ選択部２３１とコンテンツ合成部２３２との機能は、第１実施形態に係る音声再生端末１のコンテンツ選択部１５１とコンテンツ合成部１５２との機能と基本的に同様である。そして、サーバ２の制御部２３は、ＣＰＵが、ＲＯＭや記憶部２１に記憶された各種プログラムを読み出し実行することによりサーバ２の各部を統括制御するとともに、サーバプログラム（評価関数０、０．５、１、２、３及び４を含む）を実行することにより、取得手段、選択手段、第１接続順決定手段、第２接続順決定手段、送信手段及び識別情報受信手段等として機能するようになっている。
【０１６６】
図１７は、第２実施形態に係る商品広告音声配信システムＳの処理例を示すフローチャートである。図１７に示す音声再生端末１側の処理は、例えば、音声再生端末１の電源がＯＮとされた場合に開始される。
【０１６７】
先ず、音声再生端末１の制御部１５は、人感知センサ１１１から混雑度を取得するとともに、計時部１１２から現在時刻を取得すると（ステップＳ２０１）、サーバ２に、自音声再生端末の端末ＩＤと取得した混雑度とを送信する（ステップＳ２０２）。
【０１６８】
図１７に示すサーバ２側の処理は、音声再生端末１から端末ＩＤ及び混雑度を受信した場合に開始され、サーバ２の制御部２３は、受信した端末ＩＤに対応する商品ＩＤを取得する（ステップＳ２１１）。
【０１６９】
次いで、制御部２３は、取得した商品ＩＤに対応する再生リスト及び設定値を記憶部２１のデータベースから取得し（ステップＳ２１２）、コンテンツ選択部２３１は、評価関数０を実行する（ステップＳ２１３）。
【０１７０】
次いで、制御部２３は、評価関数０の実行結果に基づいて、再生コンテンツを再生するか否かを判定する（ステップＳ２１４）。このとき、制御部２３は、再生コンテンツを再生しない場合には（ステップＳ２１４：ＮＯ）、本処理を終了させる。
【０１７１】
一方、再生コンテンツを再生する場合には（ステップＳ２１４：ＹＥＳ）、コンテンツ選択部２３１は、評価関数０．５を実行し（ステップＳ２１５）、評価関数０．５で決定された順番で、評価関数１、２及び３を順次実行する（ステップＳ２１６）。
【０１７２】
次いで、コンテンツ選択部２３１は、評価関数４を実行し（ステップＳ２１７）、コンテンツ合成部２３２は、評価関数１、２、３及び４でそれぞれ選択されたコンテンツと商品名のコンテンツとを記憶部２１から取得し、これらのコンテンツを、評価関数０．５で決定された順番（商品名とキャッチフレーズについては評価関数１で決定された再生順）で接続合成して再生コンテンツを生成する（ステップＳ２１８）。
【０１７３】
次いで、制御部２３は、生成した再生コンテンツ及び設定値を音声再生端末１に送信し（ステップＳ２１９）、本処理を終了させる。なお、このときの設定値には、例えば、待機時間等が含まれる。
【０１７４】
その一方で、音声再生端末１の制御部１５は、再生コンテンツ及び設定値を受信したか否かを判定する（ステップＳ２０３）。このとき、制御部１５は、一定の時間経過しても再生コンテンツ及び設定値を受信しなかった場合には（ステップＳ２０３：ＮＯ）、一定時間待機した後（ステップＳ２０６）、再びステップＳ２０１からの処理を実行する。
【０１７５】
一方、制御部１５は、再生コンテンツ及び設定値を受信した場合には（ステップＳ２０３：ＹＥＳ）、受信した再生コンテンツを出力部１２に出力して、当該再生コンテンツを音声再生部１２１により再生させる（ステップＳ２０４）。
【０１７６】
次いで、制御部１５は、スイッチ１１３から電源ＯＦＦ操作が検出されたか否かを判定する（ステップＳ２０５）。このとき、制御部１５は、電源ＯＦＦ操作が検出されなかった場合には（ステップＳ２０５：ＮＯ）、一定時間待機した後（ステップＳ２０６）、再びステップＳ２０１からの処理を実行する。
【０１７７】
一方、制御部１５は、電源ＯＦＦ操作が検出された場合には（ステップＳ２０５:ＹＥＳ）、本処理を終了させる。
【０１７８】
なお、評価関数０、０．５、１、２、３及び４における処理内容は、第１実施形態の場合と同様である。
【０１７９】
以上説明したように、本実施形態によれば、サーバ２のコンテンツ選択部２３１が、コンテンツの音声が示す内容の種類毎にコンテンツを１つずつ選択し、コンテンツ合成部２３２が、選択された複数種類のコンテンツを接続して再生コンテンツを生成し、制御部２３が、生成された再生コンテンツを音声再生端末１に送信し、音声再生端末１が当該再生コンテンツを再生する。ここで、コンテンツ選択部２３１は、再生リストから生成された未選択フレーズＩＤリストに基づいて、少なくとも購入効果文及び最終メッセージのコンテンツをそれぞれ複数のコンテンツからフレーズＩＤ順に選択するので、前回選択時とは異なる内容のコンテンツが選択される。従って、商品の宣伝が来店者に飽きられることを抑止することができる。
【０１８０】
また、一定時間（待機時間）が経過する毎に、音声再生端末１が自己の端末ＩＤをサーバ２に送信し、サーバ２の制御部２３が端末ＩＤを受信する度に、コンテンツ選択部２３１が、コンテンツを複数種類選択し、コンテンツ合成部２３２が、選択された複数種類のコンテンツを接続して再生コンテンツを生成し、制御部２３が、生成された再生コンテンツを音声再生端末１に送信することによって、最新の再生コンテンツを音声再生端末１に再生させるので、再生コンテンツの内容の少なくとも一部が毎回変わり、これによって来店者を飽きさせないようにすることができる。
【０１８１】
また、コンテンツ選択部２３１は、再生条件情報に基づいて、取得された現在時刻が再生条件を示す時間帯の範囲内にある場合には、再生条件を満たすコンテンツを選択するので、時間帯に応じて適切なコンテンツが再生コンテンツの一部として再生されることで、集客力や購買意欲を高めることができる。
【０１８２】
また、コンテンツ選択部２３１は、評価関数実行順情報及び再生条件情報と現在時刻とに基づいて、商品名及びキャッチフレーズのコンテンツと、購入効果文のコンテンツと、価格情報のコンテンツとの接続順を決定するので、時間帯に応じて適切な順序で商品名・キャッチフレーズ、購入効果文及び価格情報のコンテンツが再生されることで、集客力や購買意欲を高めることができる。
【０１８３】
また、コンテンツ選択部２３１は、評価関数実行順情報と音声再生端末１から送信されてきた混雑度とに基づいて、商品名及びキャッチフレーズのコンテンツと、購入効果文のコンテンツと、価格情報のコンテンツとの接続順を決定するので、混雑度に応じて適切な順序で商品名・キャッチフレーズ、購入効果文及び価格情報のコンテンツが再生されることで、集客力や購買意欲を高めることができる。
【０１８４】
また、コンテンツ選択部２３１は、再生順情報に基づいて、商品名のコンテンツとキャッチフレーズのコンテンツとの接続順を決定するので、宣伝対象の商品に関するＣＭや新聞広告等において商品名とキャッチフレーズとを並べて言ったり提示したりする際の並び順が一般的に認知されている場合には、これと同じ順序で商品名のコンテンツとキャッチフレーズのコンテンツとを再生することで、宣伝効果を更に高めることができる。
【０１８５】
また、コンテンツ選択部２３１は、原則として、音声再生端末１が設置された場所に人が存在することが検知された場合（例えば、混雑度の値が０より大きい場合）に、再生コンテンツを再生すると決定するので、聞く人が音声再生端末１の周りに存在しないにもかかわらず再生コンテンツが再生されることによって電力が無駄に消費されることを防止することができる。
【０１８６】
また、コンテンツ選択部２３１は、人が存在しないことが連続して検知された累積時間である不在経過時間が累積時間設定値を超えた場合には再生コンテンツを再生するか否かを所定の確率でランダムに決定し、前回生成終了からの経過時間が経過時間設定値を超えた場合にはその時点で再生コンテンツを再生すると決定するので、音声再生端末１が設置された場所に人が存在しない場合であっても、しばらく経つと再生コンテンツが再生され、当該再生により人の注意を引き、宣伝対象の商品に人を集めることができる。
【０１８７】
また、サーバ２の記憶部２１には、端末ＩＤと商品ＩＤとが対応付けられて記憶されており、制御部２３は、音声再生端末１から送信されてきた端末ＩＤに対応付けられた商品ＩＤに対応する再生リストに記述されているコンテンツの中から今回の再生コンテンツの生成に用いられるコンテンツを選択するので、サーバ２側で、宣伝対象とする商品を音声再生端末１毎に決めることができる。
【０１８８】
なお、上記各実施形態においては、キャッチフレーズ、購入効果文、価格情報及び最終メッセージのコンテンツからそれぞれ一つずつコンテンツが選択されるようにしていたが、その一部については、複数選択されるようにしても良い。
【０１８９】
また、上記各実施形態においては、音声再生端末１が再生コンテンツを再生する度に新たな再生コンテンツを生成していたが、例えば、数回再生する毎に新たな再生コンテンツを生成しても良い。
【符号の説明】
【０１９０】
１  音声再生端末
２  サーバ
１１  入力部
１２  出力部
１３  記憶部
１４  通信部
１５  制御部
２１  記憶部
２２  通信部
２３  制御部
１１１  人感知センサ
１１２  計時部
１１３  スイッチ
１２１  音声再生部
１２２  スピーカ
１５１、２３１  コンテンツ選択部
１５２、２３２  コンテンツ合成部
Ｎ  ネットワーク
Ｓ  商品広告音声配信システム
【図１】
2010181704.tif 000003
【図２】
2010181704.tif 000004
【図３】
2010181704.tif 000005
【図４】
2010181704.tif 000006
【図５】
2010181704.tif 000007
【図６】
2010181704.tif 000008
【図７】
2010181704.tif 000009
【図８】
2010181704.tif 000010
【図９】
2010181704.tif 000011
【図１０】
2010181704.tif 000012
【図１１】
2010181704.tif 000013
【図１２】
2010181704.tif 000014
【図１３】
2010181704.tif 000015
【図１４】
2010181704.tif 000016
【図１５】
2010181704.tif 000017
【図１６】
2010181704.tif 000018
【図１７】
2010181704.tif 000019